(57)【要約】【課題】この発明は、既に記録済みの映像データに対応させて新たな付加音声データの追加記録や編集等を容易に行なうことを可能とした映像記録装置及び映像記録方法を提供することを目的としている。【解決手段】記録済みの映像データに対して所定のチャプタを指定し、このチャプタに対応する時間だけ付加音声データを記録媒体に追加記録し、この追加記録された付加音声データに対応する映像データを管理するセルと、記録媒体に記録された付加音声データとをリンクさせる付加音声管理情報を記録媒体に記録するようにしている。【選択図】    図７
2004357127.tif 000002
【特許請求の範囲】
【請求項１】
映像データ及び音声データをオブジェクト単位で記録媒体に記録するとともに、各オブジェクトをそれぞれ指定する管理データであるセルを前記記録媒体に記録する映像記録装置において、
前記記録媒体に記録済みの映像データに対して所定のチャプタを指定するための開始位置または終了位置を設定する設定手段と、
この設定手段で設定された開始位置または終了位置で指定されたチャプタに対応する時間だけ、入力された付加音声データを前記記録媒体に記録する第１の記録手段と、
この第１の記録手段で記録された付加音声データに対応する映像データを管理するセルと、前記記録媒体に記録された付加音声データとをリンクさせる付加音声管理情報を、前記記録媒体に記録する第２の記録手段とを具備してなることを特徴とする映像記録装置。
【請求項２】
前記第２の記録手段は、前記第１の記録手段で記録された付加音声データに対応する映像データを管理するセルを特定する情報と、前記記録媒体に記録された付加音声データのファイル情報とを含む前記付加音声管理情報を生成して、前記記録媒体に記録することを特徴とする請求項１記載の映像記録装置。
【請求項３】
前記第２の記録手段は、前記第１の記録手段で記録された付加音声データに対応する映像データを管理するセルを特定する情報と、前記記録媒体にファイルとして記録された付加音声データの、該ファイル上における位置情報とを含む前記付加音声管理情報を生成して、前記記録媒体に記録することを特徴とする請求項１記載の映像記録装置。
【請求項４】
前記第２の記録手段は、前記第１の記録手段で記録された付加音声データに対応する映像データを管理するセルを特定する情報と、前記記録媒体に記録された付加音声データのファイル情報と、付加音声データの該ファイル上における位置情報とを含む前記付加音声管理情報を生成して、前記記録媒体に記録することを特徴とする請求項１記載の映像記録装置。
【請求項５】
前記第２の記録手段は、前記設定手段によって設定された前記チャプタの開始位置または終了位置で、前記記録媒体に記録済みの映像データを管理するセルとオブジェクトとを分割することを特徴とする請求項１記載の映像記録装置。
【請求項６】
前記第１の記録手段は、前記設定手段で指定されたチャプタ内のセルに含まれる時間情報に基づいて、前記付加音声データの記録時間を算出することを特徴とする請求項１記載の映像記録装置。
【請求項７】
前記第１の記録手段は、前記設定手段で指定されたチャプタ内のセルに対応するオブジェクトに含まれるオーディオパックの数に基づいて、前記付加音声データの記録時間を算出することを特徴とする請求項１記載の映像記録装置。
【請求項８】
前記第１の記録手段は、前記設定手段で指定されたチャプタ内のセルに対応するオブジェクトに含まれるオーディオパックの数を計数して、前記付加音声データの記録時間を算出することを特徴とする請求項１記載の映像記録装置。
【請求項９】
前記設定手段は、前記チャプタの開始位置または終了位置をエントリーポイントで設定することを特徴とする請求項５乃至８いずれかに記載の映像記録装置。
【請求項１０】
付加音声データの記録が要求された状態で、入力された映像データ及び付加音声データにエンコード処理を施して多重化し前記記録媒体に記録し、音声データ及び付加音声データの記録が要求された状態で、入力された映像データ、音声データ及び付加音声データにエンコード処理を施して多重化し前記記録媒体に記録することを特徴とする請求項１記載の映像記録装置。
【請求項１１】
付加音声データの記録が要求された状態で、前記記録媒体に記録済みの音声データのオーディオパックを、入力された付加音声データに書き替え、音声データ及び付加音声データの記録が要求された状態で、入力された音声データのオーディオパックと入力された付加音声データのオーディオパックとが連続して配置されるように記録することを特徴とする請求項１記載の映像記録装置。
【請求項１２】
映像データ及び音声データをオブジェクト単位で記録媒体に記録するとともに、各オブジェクトをそれぞれ指定する管理データであるセルを前記記録媒体に記録する映像記録方法において、
前記記録媒体に記録済みの映像データに対して所定のチャプタを指定するための開始位置または終了位置を設定する工程と、
設定された開始位置または終了位置で指定されたチャプタに対応する時間だけ、入力された付加音声データを前記記録媒体に記録する工程と、
記録された付加音声データに対応する映像データを管理するセルと、前記記録媒体に記録された付加音声データとをリンクさせる付加音声管理情報を、前記記録媒体に記録する工程とを具備してなることを特徴とする映像記録方法。
【発明の詳細な説明】
【０００１】
【発明の属する技術分野】
この発明は、映像データ及び音声データを光ディスク等の記録媒体に記録する映像記録装置及び映像記録方法に係り、特にその記録媒体に既に記録されている映像データに対応させて新たな音声データを追加記録するものに関する。
【０００２】
【従来の技術】
周知のように、例えばＤＶＤ（Ｄｉｇｉｔａｌ  Ｖｅｒｓａｔｉｌｅ  Ｄｉｓｋ）等の光ディスクにあっては、映像データ及び音声データがＭＰＥＧ（Ｍｏｖｉｎｇ  Ｐｉｃｔｕｒｅ  Ｅｘｐｅｒｔｓ  Ｇｒｏｕｐ）方式による圧縮処理を施されて記録される。
【０００３】
この記録方式では、映像データと音声データとが多重化されたデータ構造となる。そして、このデータ構造では、デコード処理中にバッファ制御が破綻しないようにエンコードする必要がある。
【０００４】
具体的に言えば、記録する際に、映像データ及び音声データを含む全てのデータを一度にエンコード処理することにより、映像データと音声データとを多重化する仕組みとなっている。
【０００５】
このため、このように映像データと音声データとが多重化されたデータ構造で記録されている光ディスクに対して、既に記録されている映像データに対応させて新たな音声データを追加記録することは非常に困難となる。
【０００６】
特許文献１には、再生時に映像データに付随した情報から追加音声の存在を示す識別情報を検出した場合、その映像データに付加されたタイムスタンプと追加音声データに付加されたタイムスタンプとに基づいて、映像データと追加音声データとを同期再生する構成が開示されている。
【０００７】
また、特許文献２には、別々のファイルに記録された付加情報及び時間情報と映像情報とを読み出し、付加情報を時間情報を基に、付加情報とは別のファイルに記録された映像情報とともに再生する構成が開示されている。
【０００８】
さらに、特許文献３には、アフレコ用のデータを所定の領域に書き込むことにより、完成作品としての映像及び音声を再生する際に、アフレコデータを容易にオリジナルデータと時間的に正確に一致させて再生するようにした構成が開示されている。
【０００９】
しかしながら、これらの特許文献１乃至３では、いずれも、タイムスタンプ等の時間情報を用いて追加音声や付加情報等の再生タイミングを設定するようにしているため、時間情報の管理が困難になり十分に実用に適するものであるとは言えないのが現状である。
【００１０】
【特許文献１】
特開２００１−５７０５９号公報
【００１１】
【特許文献２】
特開平１１−２０５７２７号公報
【００１２】
【特許文献３】
特開平１１−１４４３７８号公報
【００１３】
【発明が解決しようとする課題】
そこで、この発明は上記事情を考慮してなされたもので、既に記録済みの映像データに対応させて新たな付加音声データの追加記録や編集等を容易に行なうことを可能とした映像記録装置及び映像記録方法を提供することを目的とする。
【００１４】
【課題を解決するための手段】
この発明に係る映像記録装置は、映像データ及び音声データをオブジェクト単位で記録媒体に記録するとともに、各オブジェクトをそれぞれ指定する管理データであるセルを記録媒体に記録するものを対象としている。そして、記録媒体に記録済みの映像データに対して所定のチャプタを指定するための開始位置または終了位置を設定する設定手段と；この設定手段で設定された開始位置または終了位置で指定されたチャプタに対応する時間だけ、入力された付加音声データを記録媒体に記録する第１の記録手段と；この第１の記録手段で記録された付加音声データに対応する映像データを管理するセルと、記録媒体に記録された付加音声データとをリンクさせる付加音声管理情報を、記録媒体に記録する第２の記録手段とを備えるようにしたものである。
【００１５】
また、この発明に係る映像記録方法は、映像データ及び音声データをオブジェクト単位で記録媒体に記録するとともに、各オブジェクトをそれぞれ指定する管理データであるセルを記録媒体に記録する方法を対象としている。そして、記録媒体に記録済みの映像データに対して所定のチャプタを指定するための開始位置または終了位置を設定する工程と；設定された開始位置または終了位置で指定されたチャプタに対応する時間だけ、入力された付加音声データを記録媒体に記録する工程と；記録された付加音声データに対応する映像データを管理するセルと、記録媒体に記録された付加音声データとをリンクさせる付加音声管理情報を、記録媒体に記録する工程とを備えるようにしたものである。
【００１６】
上記のような構成及び方法によれば、記録された付加音声データに対応する映像データを管理するセルと、記録媒体に記録された付加音声データとをリンクさせる付加音声管理情報を、記録媒体に記録するようにしたので、時間情報を用いることなく、既に記録済みの映像データに対応させて新たな付加音声データの追加記録や編集等を容易に行なうことが可能となる。
【００１７】
【発明の実施の形態】
以下、この発明の実施の形態について、図面を参照して詳細に説明する。図１は、この実施の形態で説明する映像音声データ記録再生装置を示している。この映像音声データ記録再生装置では、記録媒体としてＤＶＤ−ＲＡＭ（Ｒａｎｄｏｍ  Ａｃｃｅｓｓ  Ｍｅｍｏｒｙ）とハードディスクとの双方を取り扱うことができる装置として示しているが、ハードディスクあるいはＤＶＤ−ＲＡＭは、例えば半導体メモリによる記録媒体などに置換されてもよい。
【００１８】
図１の各ブロックを大きく分けると、左側には記録部の主なブロックを示し、右側には再生部の主なブロックを示している。
【００１９】
図１の映像音声データ記録再生装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。
【００２０】
また、第２のメディアとしてのハードディスクを駆動するハードディスクドライブ部１３を有する。データプロセッサ部１４は、ディスクドライブ部１２及びハードディスクドライブ部１３に記録データを供給することができ、また、再生された信号を受け取ることができる。ディスクドライブ部１２は、光ディスク１１に対する回転制御系、レーザ駆動系、光学系等を有する。
【００２１】
データプロセッサ部１４は、記録または再生単位のデータを取り扱うもので、バッファ回路、変調・復調回路、エラー訂正部等を含む。
【００２２】
また、図１の映像音声データ記録再生装置は、録画側を構成するエンコーダ部１５と、再生側を構成するデコーダ部１６と、装置本体の動作を制御するマイクロコンピュータブロック１７とを主たる構成要素としている。
【００２３】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２４】
エンコーダ部１５の出力は、バッファメモリ１８を含むフォーマッタ１９にて所定のＤＶＤ−ＲＡＭのフォーマットに変換され、先のデータプロセッサ部１４に供給される。
【００２５】
エンコーダ部１５には、Ａ／Ｖ（Ａｕｄｉｏ  Ｖｉｄｅｏ）入力部２０からの外部アナログビデオ信号と外部アナログオーディオ信号、あるいは、ＴＶ（Ｔｅｌｅｖｉｓｉｏｎ）チューナー部２１からのアナログビデオ信号とアナログオーディオ信号とが入力される。
【００２６】
なお、エンコーダ部１５は、直接圧縮されたデジタルビデオ信号やデジタルオーディオ信号が直接入力されるときは、圧縮デジタルビデオ信号やデジタルオーディオ信号を直接フォーマッタ１９に供給することもできる。また、エンコーダ部１５は、アナログデジタル変換されたデジタルビデオ信号やオーディオ信号等を、ビデオミキシング部２２やオーディオセレクタ２３に直接供給することもできる。
【００２７】
エンコーダ部１５に含まれるビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ（Ａｕｄｉｏ  Ｃｏｍｐｒｅｓｓｉｏｎ）−３規格に基づいて固定ビットレートで圧縮されたデジタルオーディオ信号、あるいはリニアＰＣＭ（Ｐｕｌｓｅ  Ｃｏｄｅ  Ｍｏｄｕｌａｔｉｏｎ）のデジタルオーディオ信号に変換される。
【００２８】
副映像信号がＡ／Ｖ入力部２０から入力された場合（例えば副映像信号の独立出力端子付ＤＶＤビデオプレーヤからの信号等）、あるいはこのようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００２９】
エンコードされたデジタルビデオ信号、デジタルオーディオ信号、副映像データは、フォーマッタ１９にてパック化され、ビデオパック、オーディオパック、副映像パックとなり、さらに、これらが集合されてＤＶＤ−レコーディング規格［例えばＤＶＤ−ＲＡＭ、ＤＶＤ−Ｒ（Ｒｅｃｏｒｄａｂｌｅ）、ＤＶＤ−ＲＷ（Ｒｅｗｒｉｔａｂｌｅ）等に記録する規格］で規定されたフォーマットに変換される。
【００３０】
ここで、図１の装置は、フォーマッタ１９でフォーマット化された情報（ビデオ、オーディオ、副映像データ等のパック）及び作成された管理情報を、データプロセッサ部１４を介してハードディスクドライブ部１３あるいはディスクドライブ部１２に供給し、ハードディスクあるいは光ディスク１１に記録することができる。
【００３１】
また、ハードディスクあるいは光ディスク１１に記録された情報を、データプロセッサ部１４、ディスクドライブ部１２を介して光ディスク１１あるいはハードディスクに記録することもできる。
【００３２】
また、ハードディスクあるいは光ディスク１１に記録されている複数番組のビデオオブジェクトを一部削除したり、異なる番組のオブジェクトをつなげたりといった編集処理を行なうこともできる。これは、この実施の形態にかかるフォーマットが取り扱うデータ単位を定義し、編集を容易にしているからである。
【００３３】
マイクロコンピュータブロック１７は、ＭＰＵ（Ｍｉｃｒｏ  Ｐｒｏｃｅｓｓｉｎｇ  Ｕｎｉｔ）、またはＣＰＵ（Ｃｅｎｔｒａｌ  Ｐｒｏｃｅｓｓｉｎｇ  Ｕｎｉｔ）と、制御プログラム等が書きこまれたＲＯＭ（Ｒｅａｄ  Ｏｎｌｙ  Ｍｅｍｏｒｙ）と、プログラム実行に必要なワークエリアを提供するためのＲＡＭとを含んでいる。
【００３４】
マイクロコンピュータブロック１７のＭＰＵは、そのＲＯＭに格納された制御プログラムに従い、ＲＡＭをワークエリアとして用いて、欠陥場所検出、未記録領域検出、録画情報記録位置設定、ＵＤＦ（Ｕｎｉｖｅｒｓａｌ  Ｄｉｓｋ  Ｆｏｒｍａｔ）記録、Ａ／Ｖアドレス設定等を実行する。
【００３５】
また、マイクロコンピュータブロック１７は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部［ＲＤＩ（Ｒｅａｌ  Ｔｉｍｅ  Ｄａｔａ  Ｉｎｆｏｒｍａｔｉｏｎ）処理部］、パケットヘッダ処理部、シーケンスヘッダ処理部、アスペクト比情報処理部等を備える。
【００３６】
ＭＰＵの実行結果のうち、ユーザに通知すべき内容は、映像音声データ記録再生装置の表示部２４に表示されるか、またはモニターディスプレイ２５にＯＳＤ（Ｏｎ  Ｓｃｒｅｅｎ  Ｄｉｓｐｌａｙ）表示される。また、マイクロコンピュータブロック１７は、この装置を操作するための操作信号を与えるキー入力部２６を有する。
【００３７】
なお、マイクロコンピュータブロック１７が、ディスクドライブ部１２、ハードディスクドライブ部１３、データプロセッサ部１４、エンコーダ部１５及び／またはデコーダ部１６等を制御するタイミングは、ＳＴＣ（Ｓｙｓｔｅｍ  Ｔｉｍｅ  Ｃｌｏｃｋ）２７からの時間データに基づいて実行することができる。録画や再生の動作は、通常は、ＳＴＣ２７からのタイムクロックに同期して実行されるが、それ以外の処理はＳＴＣ２７とは独立したタイミングで実行されてもよい。
【００３８】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰ（Ｓｕｂ  Ｐｉｃｔｕｒｅ）デコーダと、セパレータで分離されたオーディオデータ（オーディオパックの内容）をデコードするＡデコーダとを有する。また、デコードされた主映像にデコードされた副映像を適宜合成し、主映像にメニュー、ハイライトボタン、字幕やその他の副映像を重ねて出力するビデオプロセッサを備えている。
【００３９】
デコーダ部１６の出力ビデオ信号は、ビデオミキシング部２２に入力される。ビデオミキシング部２２では、テキストデータの合成が行なわれる。また、ビデオミキシング部２２には、ＴＶチューナー部２１やＡ／Ｖ入力部２０からの信号を直接取り込むラインも接続されている。
【００４０】
ビデオミキシング部２２には、バッファとして用いるフレームメモリ２８が接続されている。ビデオミキシング部２２の出力がアナログ出力の場合はＩ／Ｆ（ｉｎｔｅｒｆａｃｅ）２９を介して外部出力され、デジタル出力の場合はデジタルアナログ変換器３０を介してモニターディスプレイ２５に出力される。
【００４１】
デコーダ部１６の出力オーディオ信号は、セレクタ２３を介してデジタルアナログ変換器３１でアナログ変換されスピーカ３２に出力される。このセレクタ２３は、マイクロコンピュータブロック１７からのセレクト信号により制御される。これにより、セレクタ２３は、ＴＶチューナー部２１やＡ／Ｖ入力部２０からのデジタル信号を直接モニタするとき、エンコーダ部１５をスルーした信号を直接選択することも可能である。
【００４２】
なお、エンコーダ部１５のフォーマッタでは、録画中、各切り分け情報を作成し、定期的にマイクロコンピュータブロック１７のＭＰＵに送る［ＧＯＰ（Ｇｒｏｕｐ  Ｏｆ  Ｐｉｃｔｕｒｅ）先頭割り込み時等の情報］。切り分け情報としては、ＶＯＢＵ（Ｖｉｄｅｏ  Ｏｂｊｅｃｔ  Ｕｎｉｔ）のパック数、ＶＯＢＵ先頭からのＩ（Ｉｎｔｒａ）ピクチャのエンドアドレス、ＶＯＢＵの再生時間等である。
【００４３】
同時に、アスペクト比情報処理部からの情報を録画開始時にＭＰＵに送り、ＭＰＵはＶＯＢ（Ｖｉｄｅｏ  Ｏｂｊｅｃｔ）ストリーム情報（ＳＴＩ）を作成する。ここで、ＳＴＩは、解像度データ、アスペクトデータ等を保存し、再生時、各デコーダ部ではこの情報を元に初期設定が行なわれる。
【００４４】
また、この装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Ｃｏｎｔｉｇｕｏｕｓ  Ｄａｔａ  Ａｒｅａ）という。ＣＤＡサイズは、ＥＣＣ（Ｅｒｒｏｒ  Ｃｏｒｒｅｃｔｉｎｇ  Ｃｏｄｅ）ブロック（１６セクタ）の倍数であり、ファイルシステムではこのＣＤＡ単位で記録を行なっている。
【００４５】
データプロセッサ部１４は、エンコーダ部１５のフォーマッタ１９からＶＯＢＵ単位のデータを受け取り、ＣＤＡ単位のデータをディスクドライブ部１２あるいはハードディスクドライブ部１３に供給している。
【００４６】
また、マイクロコンピュータブロック１７のＭＰＵは、記録したデータを再生するのに必要な管理情報を作成し、データ記録終了のコマンドを認識すると、作成した管理情報をデータプロセッサ部１４に送る。これにより、管理情報がディスクに記録される。
【００４７】
従って、エンコードが行なわれているとき、エンコーダ部１５からマイクロコンピュータブロック１７のＭＰＵは、データ単位の情報（切り分け情報等）を受け取る。
【００４８】
また、マイクロコンピュータブロック１７のＭＰＵは、記録開始時には光ディスク１１及びハードディスクから読み取った管理情報（ファイルシステム）を認識し、各ディスクの未記録エリアを認識し、データ上の記録エリアをデータプロセッサ部１４を介してディスクに設定している。
【００４９】
ここで、図２を使用して、リアルタイムＤＶＤの管理情報と、コンテンツであるビデオオブジェクトとの関係を簡単に説明する。
【００５０】
図２において、まずビデオオブジェクト（ＶＯＢ）について説明する。ＶＯＢは、ディレクトリではＶＲ＿ＭＯＶＩＥ．ＶＲＯファイルと称される。ビデオファイルは階層構造であり、１つのファイルは１つまたは複数のＶＯＢで構成され、１つのＶＯＢは１つまたは複数のＶＯＢＵで構成され、１つのＶＯＢＵは複数パックから構成される。複数のパックとしては、ＲＤＩパック、Ｖ（ビデオ）パック、Ａ（オーディオ）パック等が存在する。ＳＰ（副映像）パックが存在してもよい。
【００５１】
ＲＤＩパックは、ユニット制御情報パック、あるいはナビゲーション情報パック、あるいはリアルタイムデータ情報パック（ＲＤＩ＿ＰＣＫ）と称される。このパックには、これが属するＶＯＢＵの最初のフィールドが再生される開始時間を示す情報、当該ＶＯＢＵの記録時を示す情報、製造者情報（ＭＮＦＩ）等を含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。また、コピーコントロール情報は、コピー許可情報、またはコピー禁止（非許可）情報を含む。
【００５２】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ、あるいはＡＣ−３等の方式で処理されたものであり、パックヘッダ、パケットヘッダ、オーディオデータ部で構成される。
【００５３】
管理情報は、ビデオマネジャー（ＶＭＧ）と称され、その中にデータ再生順序を管理するプログラムチェーン（ＰＧＣ）が定義されている。このプログラムチェーン（ＰＧＣ）には、セル（Ｃｅｌｌ）が定義されている。セル（Ｃｅｌｌ）は、再生すべき対象となるビデオオブジェクト（ＶＯＢ）に関する情報であるビデオオブジェクト情報（ＶＯＢＩ）とリンクしている。
【００５４】
ＰＧＣの具体的情報を記録してある部分が、プログラムチェーン情報（ＰＧＣＩ）部分である。ＰＧＣＩには２種類が存在し、１つはオリジナルＰＧＣＩ（ＯＲＧ＿ＰＧＣＩ）、もう１つはユーザデファインドプログラムチェーン情報テーブル（ＵＤ＿ＰＧＣＩＴ）である。
【００５５】
通常、記録時には、オリジナルＰＧＣが作成される。ユーザデファインドＰＧＣＩは、それ自身のビデオオブジェクトを持たず、図２に示すように、オリジナルＰＧＣのビデオオブジェクト情報（ＶＯＢＩ）に対してリンクしているユーザデファインドセル（ＵＤ＿Ｃｅｌｌ）を編集（削除、追加）することでプレイリストとして作成される。
【００５６】
ＶＯＢＩ内には、タイムマップ（ＴＭＡＰ）が記述されており、このＴＭＡＰはＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００５７】
次に、管理情報の中のプログラムチェーン情報（ＰＧＣＩ）の階層を説明する。先に述べたように、プログラムチェーン情報には、オリジナルプログラムチェーン情報（ＯＲＧ＿ＰＧＣＩ）とユーザデファインドプログラムチェーン情報（ＵＤ＿ＰＧＣＩ）の２つのタイプがある。
【００５８】
ＯＲＧ＿ＰＧＣＩは、録画再生装置により、オリジナルプログラムが記録されるときに自動的に作成される管理情報であり、１ディスクに１種類である。これに対し、ＵＤ＿ＰＧＣＩは、記録された複数のオリジナルプログラムの中の一部の部分をユーザが任意に指定し、その再生順序を設定することにより作成されたプレイリストとしての管理情報である。そのためＵＤ＿ＰＧＣＩは、複数を設定することができる。
【００５９】
図３は、オリジナルプログラムチェーン情報の階層構造を示している。オリジナルプログラムチェーン情報（ＯＲＧ＿ＰＧＣＩ）は、プログラムチェーン一般情報（ＰＧＣ＿ＧＩ）と、プログラム情報（ＰＧＩ）と、セル情報サーチポインタ（ＣＩ＿ＳＲＰ）と、セル情報（ＣＩ）とを含む。
【００６０】
ＰＧＣ＿ＧＩには、プログラムチェーンにより再生されるプログラムがいくつ存在するかを示すプログラム数（ＰＧ＿Ｎｓ）、セルサーチポインタがいくつ存在するかを示すセルサーチポインタ数（ＣＩ＿ＳＲＰ＿Ｎｓ）が記述されている。図３の例では、プログラム情報ＰＧＩ  ＃１からＰＧＩ  ＃ｍまでが存在し、この１つ１つのＰＧＩがオリジナルタイトルであるプログラムに相当する。また、セルサーチポインタＣＩ＿ＳＲＰ  ＃１からＣＩ＿ＳＲＰ  ＃ｎが存在する。
【００６１】
プログラム情報（ＰＧＩ）には、プログラムタイプ（ＰＧ＿ＴＹ）と、このプログラムのセル数（Ｃ＿Ｎｓ）と、このプログラムの代表画像情報（ＲＥＰ＿ＰＩＣＴＩ）とが含まれる。代表画像情報ＲＥＰ＿ＰＩＣＴＩは、代表画像のセル番号、及びこのセルの中のピクチャーポイントを記述している。
【００６２】
セルサーチポインタＣＩ＿ＳＲＰは、対応するセル情報（ＣＩ）の記述アドレスを示している。
【００６３】
セル情報（ＣＩ）の記述内容を、ムービーセルの場合とスチルセルの場合とに分けて説明する。
【００６４】
まず、ムービーセルの場合、セル情報にはムービーセル一般情報（Ｍ＿Ｃ＿ＧＩ）と、ムービーセルエントリー情報（Ｍ＿Ｃ＿ＥＰＩ）とが含まれる。ムービーセル一般情報（Ｍ＿Ｃ＿ＧＩ）には、ムービーであるかスチルであるかを示すセルタイプ（Ｃ＿ＴＹ）と、このセルで特定されるＶＯＢを指し示すためのＭ＿ＶＯＢＩ＿ＳＲＰＮと、セルエントリーポイントがいくつあるかを示すセルエントリーポイント情報数（Ｃ＿ＥＰＩ＿Ｎｓ）とが記述されている。また、このセルに対応したビデオのスタートする時間を示すＣ＿Ｖ＿Ｓ＿ＰＴＭ、及び終了時間を示すＣ＿Ｖ＿Ｅ＿ＰＴＭも記述される。また、上記ムービーセルエントリーポイント情報（Ｍ＿Ｃ＿ＥＰＩ）としては、エントリーポイントのタイプ（ＥＰ＿ＴＹ）、及びエントリーポイントのプレゼンテーションタイム（ＥＰ＿ＰＴＭ）が記述されている。
【００６５】
スチルセルの場合、記述されている内容は、上記ムービーセルとほぼ同様である。ただし、スチルセルの場合、少なくとも１つ以上のＶＯＢを含むＶＯＢグループ（ＶＯＧ）とセルとがリンクしているため、Ｓ＿ＶＯＧＩ＿ＳＲＰＮとして表わされる。
【００６６】
また、プレゼンテーションタイム（ＰＴＭ）に代えて、このスチルセルに対応したＶＯＢグループ（ＶＯＧ）の開始ＶＯＢ番号を示すＳ＿Ｓ＿ＶＯＢ＿ＥＮＴＮ、及び終了ＶＯＢ番号を示すＥ＿Ｓ＿ＶＯＢ＿ＥＮＴＮが記述される。スチルセルエントリーポイント情報（Ｓ＿Ｃ＿ＥＰＩ）においても、ＰＴＭに代えてスチルＶＯＢエントリー番号（Ｓ＿ＶＯＢ＿ＥＮＴＮ）が記述される。
【００６７】
これに準じて、上記プログラムの代表画像情報（ＲＥＰ＿ＰＩＣＴＩ）の記述においても、代表画像が存在するセルとしてムービーセルが指定された場合はセルの中のピクチャーポイントとしてＰＴＭが、スチルセルが指定された場合はセルの中のピクチャーポイントとしてスチルＶＯＢエントリー番号（Ｓ＿ＶＯＢ＿ＥＮＴＮ）が記述される。
【００６８】
図４は、上記ユーザデファインドプログラムチェーン情報の階層構造を示している。ユーザデファインドプログラムチェーン情報テーブル（ＵＤ＿ＰＧＣＩＴ）には、ユーザデファインドプログラムチェーン情報テーブル情報（ＵＤ＿ＰＧＣＩＴＩ）と、ユーザデファインドプログラムチェーン情報サーチポインタ（ＵＤ＿ＰＧＣＩ＿ＳＲＰ）と、ユーザデファインドプログラムチェーン情報（ＵＤ＿ＰＧＣＩ）とが含まれる。
【００６９】
ＵＤ＿ＰＧＣＩＴＩには、ユーザデファインドプログラムチェーン情報サーチポインタがいくつ存在するかを示すサーチポインタ数（図４には図示されていないが、ＵＤ＿ＰＧＣＩ＿ＳＲＰ＿Ｎｓと略記される）が記述されている。
【００７０】
また、ユーザデファインドプログラムチェーン情報サーチポインタ（ＵＤ＿ＰＧＣＩ＿ＳＲＰ）は、対応するユーザデファインドプログラムチェーン情報（ＵＤ＿ＰＧＣＩ）の記述アドレスを示している。図４の例では、ユーザデファインドプログラムチェーン情報ＵＤ＿ＰＧＣＩ  ＃１からＵＤ＿ＰＧＣＩ  ＃ｍまでが存在している。
【００７１】
なお、管理情報であるビデオマネジャー（ＶＭＧ）の中では、プログラムチェーン情報とは別の場所にプレイリスト情報が記述されている。この１つ１つのプレイリスト情報の中で、当該プレイリストとリンクしているユーザデファインドプログラムチェーン情報サーチポインタ（ＵＤ＿ＰＧＣＩ＿ＳＲＰ）の番号が記述されている（ＰＧＣＮ）。従ってプログラムチェーン情報としては、１つ１つのＵＤ＿ＰＧＣＩがプレイリストに対応している。
【００７２】
ユーザデファインドプログラムチェーン情報（ＵＤ＿ＰＧＣＩ）のフォーマットは、先に図３を使用して説明したオリジナルプログラムチェーン情報（ＯＲＧ＿ＰＧＣＩ）とほぼ同様のフォーマットである。ただし、ＵＤ＿ＰＧＣＩは、オリジナルプログラムの任意の一部分を組み合わせて構成されるため、ＵＤ＿ＰＧＣＩには先に述べたプログラム情報（ＰＧＩ）は存在しない。そのため、先に述べた、プログラムチェーン情報とは別の場所に記述されているプレイリスト情報の中に、プレイリストタイプ（ＰＬ＿ＴＹ）と、プレイリストの代表画像情報（ＲＥＰ＿ＰＩＣＴＩ）とが記述されている。セル情報については、ＯＲＧ＿ＰＧＣＩと同様のフォーマットであるため、ここでは説明を省略する。
【００７３】
図５及び図６は、ＤＶＤ−ＶＲ規格におけるエントリーポイント情報の構造を示している。このエントリーポイント情報には、図５に示すタイプＡと図６に示すタイプＢという２つの種類がある。
【００７４】
タイプＡのエントリーポイントは、エントリーポイントのタイプを示す（ＥＰ＿ＴＹ）とエントリーポイントが指すＰＴＭが記録されている（ＥＰ＿ＰＴＭ）とで構成されている。
【００７５】
タイプＢのエントリーポイントは、それに加えプライマリテキスト情報（ＰＲＭ＿ＴＸＴＩ）がある。このＰＲＭ＿ＴＸＴＩは、１２８バイトで定義されておりファーストフィールド６４バイトとセカンドフィールド６４バイトから構成される。ファーストフィールドにはＡＳＣＩＩコードをセットし、セカンドフィールドにはＶＭＧＩ＿ＭＡＴ内で指定したキャラクターセットを用いて記述しなければならない。
【００７６】
〈付加音声管理・再生方法〉
図７乃至図９は、それぞれ、この実施の形態で説明する付加音声管理方法を示している。ＶＲ規格で規定されているファイルの他に付加音声管理情報を記録するファイルと付加音声データを記録するファイルとを設置する。ＶＲ管理情報のセル情報にリンクするように付加音声管理情報を設定することで、付加音声データとオリジナルデータとをリンクする。
【００７７】
まず、図７に示す管理方法Ａを説明する。付加音声管理情報には、付加音声を含むセルを特定する情報と、付加音声データを記録した音声ストリームデータファイル名とを記録しておく。
【００７８】
音声ストリームデータファイルは、セル１個に対して１個と定義する。ユーザが付加音声を指定して再生した場合、再生処理でセル情報を参照する際にリンクされた付加音声管理情報からストリームデータファイルを指定しファイルの先頭からデータを読み出し再生する。
【００７９】
図８に示す管理方法Ｂを説明する。付加音声管理情報には、付加音声を含むセルを特定する情報と、記録した付加音声データの音声ストリームデータファイル上の位置情報とを記録しておく。
【００８０】
音声ストリームデータファイルは、全セル数に関係なく１個と定義する。ユーザが付加音声を指定して再生した場合、再生処理でセル情報を参照する際にリンクされた付加音声管理情報からストリームデータファイル上の記録開始位置を指定しデータを読み出し再生する。
【００８１】
図９に示す管理方法Ｃを説明する。付加音声管理情報には、付加音声を含むセルを特定する情報と、付加音声データを記録した音声ストリームデータファイル名と、記録した付加音声データの音声ストリームデータファイル上の位置情報とを記録しておく。
【００８２】
音声ストリームデータファイルは、指定された区間に対して１個作成すると定義する。ユーザが付加音声を指定して再生した場合、再生処理でセル情報を参照する際にリンクされた付加音声管理情報からストリームデータファイルを指定しさらにそのファイル上の記録開始位置を指定しデータを読み出し再生する。
【００８３】
〈付加音声設定方法〉
図１０は、この実施の形態で説明する付加音声設定方法を示している。エントリーポイント（ＥＰ）は、ユーザによって設定できることが前提である。以下に述べるチャプタとは、タイトル中にセルが１個しかなくＥＰが無い場合はセル全体、または、タイトル中の先頭セルの先頭から次のＥＰまでの区間、または、タイトル中で最後のＥＰからタイトル終端までの区間、または、タイトル中のＥＰから次のＥＰまでの区間を示す。
【００８４】
ユーザは、付加音声データを付加するチャプタを、ＥＰを設定することで決定する。付加音声を追加する際には、付加音声管理のために、そのチャプタの開始位置・終了位置でセルを分割する。オリジナルセルを分割する際には、対応するＶＯＢも分割する。
【００８５】
決定したチャプタに記録する付加音声の記録時間は、以下のいずれかの方法で決める。
【００８６】
１．チャプタ内のセルのＰＴＭから記録時間を計算する。
【００８７】
２．オリジナルデータの記録時に、ＶＯＢＵ先頭にＲＤＩパックを記録するようにしておき、そのＲＤＩパックにそのＶＯＢＵに含まれるオーディオパック数を埋め込んでおく。記録時間は、そのチャプタ内に含まれるパック数を、ＲＤＩパックを検索しその総和を求めることで決定する。
【００８８】
３．オリジナルデータを検索しオーディオパックを検索しその数で記録時間を決定する。
【００８９】
〈付加音声記録方法〉
図１１は、この実施の形態で説明する付加音声記録方法を示している。指定したチャプタのオリジナル映像を再生する画面と、チャプタ中の再生位置を示すプログレスバーとを設置する。付加音声を入力する端子は、既存の音声入力端子を用いるか、または、付加音声用の端子を設置する。
【００９０】
オリジナル映像の再生は、本体及びリモートコントローラの再生関連キーで特殊再生も可能である。音声を付加する位置でユーザのキー操作で録音を開始・停止する。付加音声記録時間は先に述べた方法で決定されているので、その時間を超える記録はできないものとする。
【００９１】
プレビューボタンを付加することで、記録された音声をその場でプレビューする機能を付加することも可能である。再記録する際はそれまでの付加音声データを消去し、新たに記録する。
【００９２】
〈付加音声編集方法〉
図１２乃至図１５は、この実施の形態で説明する付加音声編集方法を示している。図１２は、編集前の状態を示している。ユーザによってＥＰの位置を再設定し既に設定した付加音声に変更が加えられる場合を想定している。付加音声の設定されていないセルと付加音声が設定されているセルにまたがってチャプタが設定され、そこに付加音声を記録する場合、または、その部分を消去する場合を、先に述べた管理方法Ａ，Ｂ，Ｃ別に述べる。
【００９３】
図１３は、管理方法Ａに対応する編集方法を示している。まず、セルＡをＥＰ１部分でセルＡ−１とセルＡ−２とに分割する。セルＢに対しても、同様に、ＥＰ２部分でセルＢ−１とセルＢ−２とに分割する。そのセル１個に対して音声ストリームデータファイルは１個なので、セルＢを分割する際には音声ストリームデータファイルもＥＰ２部分で分割する。それに伴ない管理情報も更新する。
【００９４】
付加音声を記録する場合は、セルＡ−２に対する音声ストリームデータファイルを追加し記録する。管理情報はセルＡ−２、セルＢ−１、セルＢ−２について管理する。
【００９５】
指定したチャプタの付加音声を削除する場合は、セルＢ−１にリンクする音声ストリームデータファイルを削除し管理情報から削除する。その場合セルＡにおけるＥＰ１での分割は必ずしも必要ではない。
【００９６】
図１４は、管理方法Ｂに対応する編集方法を示している。まず、セルＡをＥＰ１部分でセルＡ−１とセルＡ−２とに分割する。セルＢに対しても、同様に、ＥＰ２部分でセルＢ−１とセルＢ−２とに分割する。それに伴ない管理情報も更新する。
【００９７】
付加音声を記録する場合は、音声ストリームデータファイルは１個なので、セルＡ−２部の音声データはファイルに追記する。セルＢ−１の音声データはもとの場所に上書きするか、追記する。音声データを記録したセルＡ−２、セルＢ−１の管理情報も更新する。
【００９８】
指定したチャプタの付加音声を削除する場合は、セルＢ−１にリンクする音声データを音声ストリームデータファイルから削除する。その場合セルＡにおけるＥＰ１での分割は必ずしも必要ではない。
【００９９】
図１５は、管理方法Ｃに対応する編集方法を示している。まず、セルＡをＥＰ１部分でセルＡ−１とセルＡ−２とに分割する。セルＢに対しても、同様に、ＥＰ２部分でセルＢ−１とセルＢ−２とに分割する。それに伴ない管理情報も更新する。
【０１００】
付加音声を記録する場合は、音声ストリームデータファイルは追加するチャプタに対して１個作成するので、セルＡ−２及びセルＢ−１の音声データを１ファイルとして保存する。
【０１０１】
指定したチャプタの付加音声を削除する場合は、セルＢ−１にリンクする音声データを音声ストリームデータファイルから削除する。その場合セルＡにおけるＥＰ１での分割は必ずしも必要ではない。
【０１０２】
以上は、一例であり、他のケースにおいても同様にセルを分割して管理方法に矛盾が出ないように更新することで実現可能である。
【０１０３】
〈ダビング時付加音声挿入方法〉
ＨＤＤ＆ＤＶＤハイブリッドレコーダ等、２つ以上のメディアに対して記録できる装置において、以上のように付加した音声を一方から他方へダビング・コピーする際に、これらの音声を多重して記録することにより、他の再生可能な機器等との互換をとることができる。ダビング・コピーの際にオリジナル音声のみ、付加音声のみ、その両方を指定することも可能とする。
【０１０４】
図１６は、オリジナルデータ映像・音声データと付加音声データとを、再度エンコードし記録する方法を示している。ダビング・コピー時に、オリジナル音声のみを指定した場合は、オリジナルデータをそのままダビングコピーする。
【０１０５】
付加音声のみを指定した場合は、オリジナル映像データと付加音声データをデコードし、その信号をエンコードしてメディアに記録する。
【０１０６】
両方の音声を指定した場合は、オリジナル映像データ、オリジナル音声データ及び付加音声データを共にデコードし、その信号をエンコードしてメディアに記録する。この例では〈付加音声設定方法〉で示した音声記録時間制限は、チャプタ長で決定する「１．」が有効である。
【０１０７】
図１７（ａ），（ｂ）は、オリジナルデータ映像・音声データと付加音声データとを、再度エンコードすることなくメディアに記録する方法を示している。ダビング・コピー時に、オリジナル音声のみを指定した場合は、オリジナルデータをそのままダビングコピーする。
【０１０８】
付加音声のみを指定した場合は、オリジナル音声データが記録されているオーディオパックを、付加音声データと置き換えてメディアに記録する。
【０１０９】
両方の音声を指定した場合は、オリジナル音声データが記録されているオーディオパックの後ろに、付加音声データのオーディオパックとして記録する。この例では〈付加音声設定方法〉で示した音声記録時間制限は、オーディオパック数で決定する「２．」，「３．」が有効である。
【０１１０】
上記したように、付加音声データを管理することによりオリジナルデータに対して後から音声を加え編集することが可能となる。
【０１１１】
なお、この発明は上記した実施の形態そのままに限定されるものではなく、実施段階ではその要旨を逸脱しない範囲で構成要素を種々変形して具体化することができる。
【０１１２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【０１１３】
【発明の効果】
以上詳述したようにこの発明によれば、既に記録済みの映像データに対応させて新たな付加音声データの追加記録や編集等を容易に行なうことを可能とした映像記録装置及び映像記録方法を提供することができる。
【図面の簡単な説明】
【図１】この発明の実施の形態を示すもので、映像音声データ記録再生装置を説明するために示すブロック構成図。
【図２】同実施の形態における管理情報とビデオオブジェクトとの関係を説明するために示す図。
【図３】同実施の形態におけるオリジナルプログラムチェーン情報の階層構造を説明するために示す図。
【図４】同実施の形態におけるユーザデファインドプログラムチェーン情報の階層構造を説明するために示す図。
【図５】同実施の形態におけるエントリーポイント情報の構造の一例を説明するために示す図。
【図６】同実施の形態におけるエントリーポイント情報の構造の他の例を説明するために示す図。
【図７】同実施の形態における付加音声管理方法の一列を説明するために示す図。
【図８】同実施の形態における付加音声管理方法の他の列を説明するために示す図。
【図９】同実施の形態における付加音声管理方法のさらに他の列を説明するために示す図。
【図１０】同実施の形態における付加音声設定方法を説明するために示す図。
【図１１】同実施の形態における付加音声記録方法を説明するために示す図。
【図１２】同実施の形態における付加音声編集方法の編集前の状態を説明するために示す図。
【図１３】同実施の形態における付加音声編集方法の一例を説明するために示す図。
【図１４】同実施の形態における付加音声編集方法の他の例を説明するために示す図。
【図１５】同実施の形態における付加音声編集方法のさらに他の例を説明するために示す図。
【図１６】同実施の形態における映像・音声データと付加音声データとを再度エンコードしてダビングすることを説明するために示す図。
【図１７】同実施の形態における映像・音声データと付加音声データとを再度エンコードせずにダビングすることを説明するために示す図。
【符号の説明】
１１…光ディスク、１２…ディスクドライブ部、１３…ハードディスクドライブ部、１４…データプロセッサ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…ビデオミキシング部、２３…オーディオセレクタ、２４…表示部、２５…モニターディスプレイ、２６…キー入力部、２７…ＳＴＣ、２８…フレームメモリ部、２９…Ｉ／Ｆ、３０，３１…デジタルアナログ変換器、３２…スピーカ。
【図１】
2004357127.tif 000003
【図２】
2004357127.tif 000004
【図３】
2004357127.tif 000005
【図４】
2004357127.tif 000006
【図５】
2004357127.tif 000007
【図６】
2004357127.tif 000008
【図７】
2004357127.tif 000009
【図８】
2004357127.tif 000010
【図９】
2004357127.tif 000011
【図１０】
2004357127.tif 000012
【図１１】
2004357127.tif 000013
【図１２】
2004357127.tif 000014
【図１３】
2004357127.tif 000015
【図１４】
2004357127.tif 000016
【図１５】
2004357127.tif 000017
【図１６】
2004357127.tif 000018
【図１７】
2004357127.tif 000019